(57)【特許請求の範囲】
【請求項１】
リフトアップ対象物を当該リフトアップ対象物の近傍に設けられた支持構造に反力をとってリフトアップする方法であって、
前記支持構造に、下端が前記リフトアップ対象物に接続された吊り部材を介して前記リフトアップ対象物を昇降可能な昇降装置と、前記昇降装置の下方に連結され、前記吊り部材を把持可能な把持装置とを設置する昇降装置設置ステップと、
前記昇降装置により前記支持構造に反力をとって、前記吊り部材を介して前記リフトアップ対象物を吊上げる第１の吊上げステップと、
前記把持装置により前記吊り部材を把持することで、前記吊り部材を介して前記リフトアップ対象物を吊持した状態で、前記昇降装置を上方に移動して前記支持構造に設置する昇降装置移動ステップと、
前記移動した昇降装置により前記吊り部材を介して前記リフトアップ対象物を吊持する盛り替えステップと、
前記昇降装置により前記支持構造に反力をとって、前記吊り部材を介して前記リフトアップ対象物を吊上げる第２の吊上げステップとを備えることを特徴とするリフトアップ対象物のリフトアップ方法。
【請求項２】
請求項１記載のリフトアップ対象物のリフトアップ方法であって、
前記昇降装置移動ステップと、前記盛り換えステップと、前記第２の吊り上げステップと、を複数回繰り返すことを特徴とするリフトアップ対象物のリフトアップ方法。
【請求項３】
筒状に形成された塔本体と、前記塔本体の上部に下端が接続されたアンテナ鉄塔と、を備える塔状構造物を構築する方法であって、
前記塔本体を構築する塔本体構築ステップと、
前記塔本体の内部において前記アンテナ鉄塔を構築するアンテナ鉄塔構築ステップと、
前記塔本体に反力を取りながら、前記アンテナ鉄塔を前記塔本体から突出するまで吊上げるリフトアップステップと、
前記吊り上げたアンテナ鉄塔を前記塔本体に接続する接続ステップとを備え、
前記リフトアップステップでは、請求項１又は２記載のリフトアップ方法により、前記塔本体に反力をとりながら前記アンテナ鉄塔を吊上げることを特徴とする塔状構造物の構築方法。
【請求項４】
請求項３記載の塔状構造物の構築方法であって、
前記塔本体構築ステップは、前記塔本体の所定高さよりも低い部分を構築する第１の塔本体構築ステップと、前記塔本体の前記所定高さよりも高い部分を構築する第２の塔本体構築ステップとにより構成され、
前記第２の塔本体構築ステップと、前記アンテナ鉄塔構築ステップとを並行して行うことを特徴とする塔状構造物の構築方法。
【請求項５】
上部構造が下部構造の上部に支持されてなる建築物の構築方法であって、
前記下部構造を構築する下部構造構築ステップと、
前記上部構造を構築する上部構造構築ステップと、
前記下部構造に反力を取りながら、前記上部構造を上方に吊上げるリフトアップステップと、
前記上部構造を前記下部構造の上部に接続する接続ステップとを備え、
前記リフトアップステップでは、請求項１又は２記載のリフトアップ方法により、前記下部構造に反力をとりながら前記上部構造を吊上げることを特徴とする建築物の構築方法。  
【請求項６】
リフトアップ対象物をリフトアップする装置であって、
支持構造物に反力をとって前記リフトアップ対象物に接続された吊り部材を介して前記リフトアップ対象物を昇降可能な昇降装置と、
前記昇降装置の下方に連結され、支持構造物に反力をとって前記吊り部材を把持可能な把持装置とを備えることを特徴とするリフトアップ装置。
【発明の詳細な説明】
【技術分野】
【０００１】
本発明は、構造物をリフトアップする方法及びこのリフトアップ方法を用いた塔状構造物、建築物の構築方法に関する。
【背景技術】
【０００２】
従来より、塔状構造物の構築方法として、塔状構造物の下部を構成する下部構造を中空状に構築し、下部構造の内部において塔状構造物の上部を構成する上部構造を構築し、ジャッキにより上部構造を下部構造の上方までリフトアップ（プッシュアップ）して、上部構造の下部と下部構造の上部とを接続するリフトアップ工法が用いられている。
【０００３】
このようなリフトアップ工法として、例えば、特許文献１には、外部フレームの内部に内部フレームが形成され、上部にゲイン塔が接続された二重構造のタワーを、外部フレームの基底部を構築するとともに、その内部にゲイン塔及びタワー上部構成部（内部フレーム及び外部フレーム）の最上部を構築し、外部フレームの基底部に反力をとりながらタワー上部構成部をリフトアップした後、リフトアップしたタワー上部構成部の下方に新たなタワー上部構成部を接続する工程と、外部フレームの基底部に反力をとりながらタワー上部構成部をリフトアップする工程と、を繰り返すことによりタワー上部構成部を上方から構築し、上記構築したタワー上部構成部の下方に基底部を構成する内部フレームを一体に構築し、上記構築したタワー上部構成部の外部フレームと、基底部の外部フレームとを接続することにより塔状構造物を構築する方法が記載されている。
【先行技術文献】
【特許文献】
【０００４】
【特許文献１】特開２００８−６９５６７号公報
【発明の概要】
【発明が解決しようとする課題】
【０００５】
ここで上記のように構造物をリフトアップする場合には、外部フレームの基底部の上部にジャッキを設置し、構築が完了したタワー上部構成部の最上部にＰＣ鋼線などの吊り部材を接続し、この吊り部材をジャッキにより引き上げることで、リフトアップする。このため、吊り部材としては、リフトアップする高さ以上の長さを有するものが必要となる。しかしながら、高層の構造物を構築する場合には、吊り部材として長尺なＰＣ鋼線を用いなければならず、コスト高になるという問題があった。
【０００６】
そこで、リフトアップする高さよりも短いＰＣ鋼線を用いてリフトアップするべく、複数回に分けてリフトアップすることが考えられる。このように複数回に分けてリフトアップする場合には、途中、ジャッキの盛り替え作業が必要となる。すなわち、外部フレームの中間部に設けられた第１のジャッキにより、第１の吊り部材を介して構造物を中間高さまでリフトアップした後、第１のジャッキにより第１の吊り部材を介して構造物を吊持した状態で、外部フレームの上端部に第２のジャッキを設け、第２のジャッキにより第２の吊り部材を介して構造物を吊持し、所定の高さまでリフトアップすることとなる。
【０００７】
しかしながら、複数回に分けてリフトアップする方法では、上記のようにジャッキが複数対必要となるため、依然としてコスト高になる。また、このようにジャッキ及び吊り部材を複数対設ける場合には、第１及び第２の吊り部材が干渉しないようにする必要があるため、外部フレームの内部に広い空間がある場合にしか適用することができない。
【０００８】
本発明は、上記の問題に鑑みなされたものであり、その目的は、複数回にわけて構造物をリフトアップする際に、ジャッキなどの昇降装置を複数対用いることなく、昇降装置の盛り替え作業をできるようにすることである。
【課題を解決するための手段】
【０００９】
本発明のリフトアップ方法は、リフトアップ対象物を当該リフトアップ対象物の近傍に設けられた支持構造に反力をとってリフトアップする方法であって、前記支持構造に、下端が前記リフトアップ対象物に接続された吊り部材を介して前記リフトアップ対象物を昇降可能な昇降装置と、前記昇降装置の下方に連結され、前記吊り部材を把持可能な把持装置とを設置する昇降装置設置ステップと、前記昇降装置により前記支持構造に反力をとって、前記吊り部材を介して前記リフトアップ対象物を吊上げる第１の吊上げステップと、  前記把持装置により前記吊り部材を把持することで、前記吊り部材を介して前記リフトアップ対象物を吊持した状態で、前記昇降装置を上方に移動して前記支持構造に設置する昇降装置移動ステップと、前記移動した昇降装置により前記吊り部材を介して前記リフトアップ対象物を吊持する盛り替えステップと、前記昇降装置により前記支持構造に反力をとって、前記吊り部材を介して前記リフトアップ対象物を吊上げる第２の吊上げステップとを備えることを特徴とする。上記のリフトアップ方法において、前記昇降装置移動ステップと、前記盛り換えステップと、前記第２の吊り上げステップと、を複数回繰り返してもよい。
【００１０】
また、本発明の塔状構造物の構築方法は、筒状に形成された塔本体と、前記塔本体の上部に下端が接続されたアンテナ鉄塔と、を備える塔状構造物を構築する方法であって、  前記塔本体を構築する塔本体構築ステップと、前記塔本体の内部において前記アンテナ鉄塔を構築するアンテナ鉄塔構築ステップと、前記塔本体に反力を取りながら、前記アンテナ鉄塔を前記塔本体から突出するまで吊上げるリフトアップステップと、前記吊り上げたアンテナ鉄塔を前記塔本体に接続する接続ステップとを備え、前記リフトアップステップでは、上記のリフトアップ方法により、前記塔本体に反力をとりながら前記アンテナ鉄塔を吊上げることを特徴とする。
【００１１】
上記の塔状構造物の構築方法において、前記塔本体構築ステップは、前記塔本体の所定高さよりも低い部分を構築する第１の塔本体構築ステップと、前記塔本体の前記所定高さよりも高い部分を構築する第２の塔本体構築ステップとにより構成され、前記第２の塔本体構築ステップと、前記アンテナ鉄塔構築ステップとを並行して行ってもよい。
【００１２】
また、本発明の建築物の構築方法は、上部構造が下部構造の上部に支持されてなる建築物の構築方法であって、前記下部構造を構築する下部構造構築ステップと、前記上部構造を構築する上部構造構築ステップと、前記下部構造に反力を取りながら、前記上部構造を上方に吊上げるリフトアップステップと、前記上部構造を前記下部構造の上部に接続する接続ステップとを備え、前記リフトアップステップでは、上記のリフトアップ方法により、前記下部構造に反力をとりながら前記上部構造を吊上げることを特徴とする。
【００１３】
また、本発明のリフトアップ装置は、構造物をリフトアップする装置であって、支持構造物に反力をとって前記構造物に接続された吊り部材を介して前記構造物を昇降可能な昇降装置と、前記昇降装置の下方に接続され、支持構造物に反力をとって前記吊り部材を保持可能な保持装置とを備えることを特徴とする。
【発明の効果】
【００１４】
本発明によれば、予め、昇降装置の下方に保持装置を連結しておくことで、昇降装置を盛り替える際に、保持装置により吊り部材を保持することにより、吊り部材を介して構造物を吊持することができる。これにより、昇降装置を移動させることができるため、昇降装置の盛り替え作業を行うことで、複数回にわけてリフトアップを行う場合であっても、１台の昇降装置でリフトアップ作業を行うことができる。
【図面の簡単な説明】
【００１５】
【図１】本実施形態の構築方法により構築された塔状構造物を示す図である。
【図２Ａ】塔状構造物の構築方法を説明するための図（その１）である。
【図２Ｂ】塔状構造物の構築方法を説明するための図（その２）である。
【図２Ｃ】塔状構造物の構築方法を説明するための図（その３）である。
【図２Ｄ】塔状構造物の構築方法を説明するための図（その４）である。
【図２Ｅ】塔状構造物の構築方法を説明するための図（その５）である。
【図２Ｆ】塔状構造物の構築方法を説明するための図（その６）である。
【図２Ｇ】塔状構造物の構築方法を説明するための図（その７）である。
【図２Ｈ】塔状構造物の構築方法を説明するための図（その８）である。
【図２Ｉ】塔状構造物の構築方法を説明するための図（その９）である。
【図２Ｊ】塔状構造物の構築方法を説明するための図（その１０）である。
【図３】リフトアップ装置の構成を示し、（Ａ）は正面図、（Ｂ）は（Ａ）におけるＩＩ−ＩＩ断面図、（Ｃ）は（Ａ）におけるＩ−Ｉ断面図である。
【図４】昇降装置の盛り替え方法を説明するための図（その１）である。
【図５】昇降装置の盛り替え方法を説明するための図（その２）である。
【図６】本発明を建物本体と建物本体の上部に設けられた展望台とからなる建物を構築する際に適用した場合の実施形態を示す図である。
【図７】本発明を体育館を構築する際に適用した場合の実施形態を示す図である。
【発明を実施するための形態】
【００１６】
以下、本発明の構造物のリフトアップ方法の一実施形態を塔状構造物を構築する際に適用した場合を例として説明する。
図１は、本実施形態の構築方法により構築された塔状構造物１０を示す図である。同図に示すように、本実施形態の方法により構築された塔状構造物１０は、上下方向に延びる筒状に構築された鉄塔本体２０と、鉄塔本体２０の上端に接続されたゲイン塔３０とで構成される。塔状構造物１０のゲイン塔３０の下部には上部展望室４０が設けられ、さらに、上部展望室４０より低い位置には中央展望室５０が設けられている。
【００１７】
ゲイン塔３０は、複数の筒状に形成されたトラス架構が上下に接続されてなり、鉄塔本体２０内に定着されている部分（以下、定着部という）３０Ｂに比べて、鉄塔本体２０から突出している部分（以下、先端部という）３０Ａの径が小さくなるように形成されている。また、ゲイン塔３０の上部の外周面にはパラボラアンテナやテレビアンテナなどの各種アンテナが取り付けられている。また、ゲイン塔の下部には階段等の下部設備３０Ｃが接続されている。
【００１８】
鉄塔本体２０は、上方に向かって径が小さくなる筒状に形成された鉄骨のトラス架構からなる。なお、以下説明の便宜上、鉄塔本体２０の中央展望室５０の上部よりも低い部分を本体下部２０Ｂといい、それよりも高い部分を本体上部２０Ａといい、上部展望室４０よりも上部のゲイン塔３０が定着される部分を定着部２０Ｃという。
【００１９】
以下、本実施形態の塔状構造物の構築方法を図２Ａ〜図２Ｊを参照しながら説明する。
まず、地上高さから上方に向かって本体下部２０Ｂを構築していく。すなわち、まず、本体下部２０Ｂの低層部を、地上に設置されたクレーンにより鉄骨を揚重しながら、鉄骨を組み立てて構築する。次に、このようにして構築した本体下部２０Ｂの低層部にタワークレーンを設置する。そして、このタワークレーンにより揚重した鉄骨を接続して本体下部２０Ｂを構築する工程と、構築した本体下部２０Ｂに反力をとりながらタワークレーンを上昇させる工程とを繰り返すことにより、本体下部２０Ｂを上方に向かって構築する。
【００２０】
本体下部２０Ｂを所定の高さまで構築した後、図２Ａに示すように、本体下部２０Ｂに支持されるようにリフトアップステージ６０を構築し、このリフトアップステージ６０に反力をとるようにリフトアップ装置１１０を設置し、リフトアップ装置１１０にＰＣ鋼線１５０を取り付ける。
【００２１】
図３は、リフトアップ装置１１０の構成を示し、（Ａ）は正面図、（Ｂ）は（Ａ）におけるＩＩ−ＩＩ断面図、（Ｃ）は（Ａ）におけるＩ−Ｉ断面図である。同図に示すように、リフトアップ装置１１０は、昇降装置１２０と、昇降装置１２０の下方に連結された第１の把持装置１３０と、第１の把持装置１３０の下方に切り離し可能に連結された第２の把持装置１４０とにより構成される。なお、昇降装置１２０と第１の把持装置１３０及び第２の把持装置１３０と第２の把持装置１４０は、例えば、ボルトにより固定することで、切り離し可能に連結することができる。
【００２２】
昇降装置１２０は、複数本の油圧ジャッキ１２１と、各油圧ジャッキ１２１の上方及び下方に取り付けられた複数の把持機構１２２、１２３と、により構成される。各油圧ジャッキ１２１には外部から油圧が供給され、油圧が供給された際の全ての油圧ジャッキ１２１の伸縮量は同一になるように調整されている。各把持機構１２２、１２３は、内部をＰＣ鋼線１５０が挿通しており、ＰＣ鋼線１５０を側方から挟みこむことにより、ＰＣ鋼線１５０を把持することができる。また、昇降装置１２０は、下方にリフトアップステージ上に設置するための架台１２４が接続されている。
【００２３】
第１及び第２の把持装置１３０、１４０は、夫々、昇降装置１２０の油圧ジャッキに対応して配置された複数の把持機構１３１、１４１を備える。これら把持機構１３１、１４１は、昇降装置１２０の把持機構１２２、１２３と同様の構成であり、内部をＰＣ鋼線１５０が挿通しており、ＰＣ鋼線１５０を側方から挟みこむことにより、ＰＣ鋼線１５０を把持することができる。また、第１及び第２の把持装置１３０、１４０には、下方にリフトアップステージ上に設置するための架台１３２、１４２が接続されている。
なお、図３に示す例では、油圧ジャッキ１２１、把持機構１２２、１２３、１３１、１４１は夫々正方形状に８台ずつ設けられている。
【００２４】
かかる構成によれば、リフトアップ装置１１０をリフトアップステージに反力をとるように設置した状態で、昇降装置１２０の上方の把持機構１２２によりＰＣ鋼線１５０を把持し、その他の把持機構１２３、１３１、１４１を開放状態として、油圧ジャッキ１２１を伸長させる工程と、油圧ジャッキ１２１が伸長した状態で、昇降装置１２０の下方の把持機構１２３、第１の把持装置１３０の把持機構１３１、又は、第２の把持装置１４０の把持機構１４１の何れか１つによりＰＣ鋼線１５０を把持し、その他の把持機構を開放した状態で、油圧ジャッキ１２１を収縮させる工程とを繰り返すことにより、ＰＣ鋼線１５０を引き上げることができる。
【００２５】
次に、図２Ｂに示すように、本体下部２０Ｂの構築作業と並行して、本体下部２０Ｂの内部においてゲイン塔３０を組み立てる。ゲイン塔３０は、複数のトラス架構からなる筒状部材が上下に接続されてなり、図２Ｂに示すように、リフトアップ装置１１０のＰＣ鋼線１５０の先端をゲイン塔３０を構成する最上部の筒状部材に取り付け、昇降装置１２０によりＰＣ鋼線１５０を引き上げることで、ゲイン塔３０を吊り上げ、吊り上げられたゲイン塔３０の下部に筒状部材を順次接続していくことにより組み立てることができる。
そして、本体下部２０Ｂを中央展望室５０にあたる高さまで構築した後、図２Ｃに示すように、本体下部２０Ｂの上部に中央展望室５０を構築する。
【００２６】
次に、ゲイン塔３０の構築作業が完了したら、図２Ｄに示すように、ゲイン塔３０の先端に取り付けられていたＰＣ鋼線１５０の先端を、ゲイン塔３０の下端部に盛り替える。
【００２７】
次に、中央展望室５０の構築が完了した後、中央展望室５０の上部に作業ステージ５１を構築し、この作業ステージ５１上にタワークレーン（不図示）を設置し、このタワークレーンにより揚重した鉄骨を組み立てることにより、本体上部２０Ａを構築する。また、これと平行して、上記の本体下部２０Ｂの内部においてゲイン塔３０を組み立てる作業を続行する。
次に、図２Ｅに示すように、昇降装置１２０によりゲイン塔３０を揚重し、ゲイン塔３０の下部に下部設備３０Ｃを接続する。
【００２８】
次に、図２Ｆに示すように、本体上部２０Ａの構築が上部展望室４０の高さまで到達したら、本体上部２０Ａと一体となるように上部展望室４０を構築する。また、同図に示すように、ゲイン塔３０を吊持するリフトアップ装置１１０の昇降装置１２０を中央展望室５０の上部に設けられたリフトアップステージ７０に盛り替える。
【００２９】
以下、昇降装置１２０を盛り替える方法を図４及び図５を参照しながら説明する。
図４（Ａ）及び図５（Ａ）に示すように、盛り替え作業を行う前の状態では、昇降装置１２０は下方に第１及び第２の把持装置１３０、１４０が連結された状態でリフトアップステージ６０上に設置されている。かかる状態で、第２の把持装置１４０によりＰＣ鋼線１５０を把持するとともに、昇降装置１２０及び第１の把持装置１３０の把持機構１２２、１２３、１３１を開放する。これにより、第２の把持装置１４０がリフトアップステージ６０に反力をとって、ＰＣ鋼線１５０を介してゲイン塔３０を吊持した状態となる。そして、第２の把持装置１４０を第１の把持装置１３０から切り離す。
【００３０】
次に、図４（Ｂ）及び図５（Ｂ）に示すように、クレーンなどの揚重機２００を用いて、第１の把持装置１３０が連結された状態の昇降装置１２０を上方のリフトアップステージ７０上へ揚重する。また、これと並行してＰＣ鋼線１５０を小型揚重設備２１０などにより上方へ向かって引き上げる。
【００３１】
次に、図４（Ｃ）及び図５（Ｃ）に示すように、第１の把持装置１３０が連結された状態の昇降装置１２０を上方のリフトアップステージ７０上へ設置し、小型揚重設備２１０などによりＰＣ鋼線１５０に引張力を加えてたるみを無くした状態で、昇降装置１２０によりＰＣ鋼線１５０を把持する。そして、第２の把持装置１４０を開放する。これにより、昇降装置１２０が上方のリフトアップステージ７０に反力をとってＰＣ鋼線１５０を介して、ゲイン塔３０を吊持した状態となり、昇降装置１２０の盛り替え作業が完了する。なお、第２の把持装置１４０は撤去してもよいし、残置してもよい。
【００３２】
次に、図２Ｇに示すように、本体上部２０Ａの上部展望室４０の上方において定着部２０Ｃを構築し、構築した定着部２０Ｃの上部にリフトアップステージ８０を構築する。また、これと並行してゲイン塔３０を上端が中央展望室５０の高さ近傍に到達するまで昇降装置１２０によりリフトアップする。
【００３３】
次に、図２Ｈに示すように、中央展望室５０の上部のリフトアップステージ７０から、本体上部２０Ａの上部に設けられたリフトアップステージ８０に昇降装置を盛り替える。なお、昇降装置１２０の盛り替え作業は、図４及び図５を参照して説明したのと同様に行えばよく、中央展望室５０の上部のリフトアップステージ７０に反力を取りながら第１の把持装置１３０によりＰＣ鋼線１５０を把持した状態で、第１の把持装置１３０を昇降装置１２０から切り離し、昇降装置１２０をクレーンなどにより上昇させて、本体上部２０Ａの上部に設けられたリフトアップステージ８０上に設置し、ＰＣ鋼線１５０を緊張させ、昇降装置１２０の把持機構１２２によりＰＣ鋼線１５０を把持すればよい。
【００３４】
次に、図２Ｉに示すように、ゲイン塔３０を、その先端部３０Ａが鉄塔本体２０の上部から突出するまで昇降装置１２０により上昇させる。そして、ゲイン塔３０を上昇させながら、鉄塔本体２０の頂部に構築した作業ステージ９０上においてゲイン塔３０の先端部３０Ａにパラボラアンテナやテレビアンテナなどの各種アンテナを取り付ける。
【００３５】
次に、図２Ｊに示すように、ゲイン塔３０を、その定着部３０Ｂが鉄塔本体２０の定着部２０Ｃと等しい高さに到達するまで昇降装置１２０により吊り上げた後、ゲイン塔３０の下端部を構成する鉄骨と、鉄塔本体２０の最上部の内側を構成する鉄骨とを接合する。そして、昇降装置１２０を解体する。
以上の工程により、塔状構造物１０を構築することができる。
【００３６】
本実施形態によれば、予め、昇降装置１２０の下方に第１及び第２の把持装置１３０、１４０を連結しておくことで、昇降装置１２０を盛り替える際に、第１の把持装置１３０によりＰＣ鋼線１５０を把持することにより、ＰＣ鋼線１５０を介してゲイン塔３０を吊持することができる。これにより、昇降装置１２０を移動させることができるため、リフトアップ高さよりも短いＰＣ鋼線１５０を用いて、複数回にわけてリフトアップを行う場合であっても、１台の昇降装置１２０でリフトアップを行うことができる。
【００３７】
また、本実施形態では、ゲイン塔３０をリフトアップする際に、昇降装置１２０の取付位置を２回上方に盛り替えている。盛り替え作業を行わずにゲイン塔３０をリフトアップする場合には、ゲイン塔３０をリフトアップする高さ分以上の長さのＰＣ鋼線１５０が必要となるが、本実施形態では、盛り替え作業を行うため、ＰＣ鋼線１５０の長さがリフトアップする高さよりもが短くても、所定の高さまでリフトアップすることができる。
【００３８】
また、鉄塔本体２０の構築が完了する前であっても、構築が完了した本体下部２０Ｂの上部に反力を取ってリフトアップすることが可能であるため、本体上部２０Ａの構築作業と、リフトアップした状態でゲイン塔３０を構築する作業とを並行して行うことができる。これにより施工期間を短縮することができる。
【００３９】
また、本実施形態では、昇降装置１２０の下方にＰＣ鋼線１５０を把持可能な第１及び第２の把持装置１３０、１４０を取り付けておき、これら把持装置１３０、１４０により下方のリフトアップステージに反力をとってＰＣ鋼線１５０を支持した状態で、昇降装置１２０を上昇させている。このため、昇降装置１２０を盛り替える際に、複数の昇降装置が必要とならず、コストを削減することができる。
【００４０】
なお、本実施形態では、塔状構造物１０を構築する際に、ゲイン塔３０をリフトアップする場合について説明したが、これに限らず、例えば、図６に示すように、建物本体３１０と建物本体３１０の上部に設けられた展望台３２０とからなる建物３００を構築する場合に、建物本体３１０を構築するとともに地上高さで展望台３２０を構築し（同図（Ａ））、建物本体３１０に反力を取りながら展望台３２０をリフトアップし（同図（Ｂ））、展望台３２０を建物本体３１０に固定することで建物３００を構築する場合にも本発明を適用できる。また、間をあけて構築された建物本体と、この建物本体の間に架け渡された展望台とにより構成された建物を構築する場合であっても、本発明を適用できる。
【００４１】
また、例えば、体育館のような建物４２０を構築する場合には、図７に示すように、側壁４１０を所定高さまで構築するとともに、側壁４１０の内側において屋根部４２０を構築し（同図（Ａ））、側壁４１０の構築が完了した部分に反力をとって屋根部４２０を下方に作業スペースが形成される高さまでリフトアップ（同図（Ｂ））して、側壁４１０上部の構築作業を行うとともに、屋根部４２０の下部で照明等の設備の取り付け作業を行い、側壁４１０上部まで構築作業が完了したら、昇降装置を盛り替えて、屋根を側壁上方の高さまで上昇させて、側壁４１０に固定してもよい。
【００４２】
また、上記の実施形態では、本設の建物の一部に反力をとってリフトアップする場合について説明したが、これに限らず、仮設の構造物に反力をとってリフトアップする場合であっても本発明を適用できる。
【００４３】
また、本実施形態では、ＰＣ鋼線を介してゲイン塔をリフトアップしたが、これに限らず、ＰＣ鋼棒などを用いても良く、十分な引張耐力を有する部材であれば吊り部材として用いることができる。
【符号の説明】
【００４４】
１０  塔状構造物                          ２０  鉄塔本体
２０Ａ  本体上部                          ２０Ｂ  本体下部
２０Ｃ  定着部                            ３０  ゲイン塔
３０Ａ  先端部                            ３０Ｂ  定着部
３０Ｃ  下部設備                          ４０  上部展望室
５０  中央展望室                          ５１、９０  作業ステージ
６０、７０、８０  リフトアップステージ
１１０  リフトアップ装置                  １２０  昇降装置
１２１  油圧ジャッキ                      １２２、１２３  把持機構
１２４、１３２、１４２  架台              １３０、１４０  把持装置
１３１，１４１  把持機構                  １５０  ＰＣ鋼線
３００  建物                              ３１０  建物本体
３２０  展望台                            ４００  体育館
４１０  側壁                              ４２０  建物
【図１】
0005402508.tif 000002
【図２Ａ】
0005402508.tif 000003
【図２Ｂ】
0005402508.tif 000004
【図２Ｃ】
0005402508.tif 000005
【図２Ｄ】
0005402508.tif 000006
【図２Ｅ】
0005402508.tif 000007
【図２Ｆ】
0005402508.tif 000008
【図２Ｇ】
0005402508.tif 000009
【図２Ｈ】
0005402508.tif 000010
【図２Ｉ】
0005402508.tif 000011
【図２Ｊ】
0005402508.tif 000012
【図３】
0005402508.tif 000013
【図４】
0005402508.tif 000014
【図５】
0005402508.tif 000015
【図６】
0005402508.tif 000016
【図７】
0005402508.tif 000017